(57)【要約】【課題】側面の横幅方向全長に亘って凹部が開口した形状のコンクリート製品について、横幅が長尺のものであっても容易に製造できるようにする。【解決手段】側面の横幅方向全長に亘って開口する所定形状の凹部を備えたコンクリート製品を製造する際に、型枠本体７Ａの横幅方向に沿う側板７２の内面に密着しながら型枠本体７Ａ内で位置決め・固定されて前記凹部を形成させる成形用の中子１Ａであって、側板７２への密着面１０ｃには複数個の永久磁石５０が配設されており、前記位置決め時に強磁性体製の側板７２内面に磁気吸着して固定されることを特徴とするものとした。【選択図】図３
2017039214.tif 000002
【特許請求の範囲】
【請求項１】
側面の横幅方向全長に亘って開口する所定形状の凹部を備えた形状のコンクリート製品を製造する際に、型枠本体の横幅方向に沿う側板の内面に密着しながら前記型枠本体内で位置決め・固定されて前記凹部を形成させる成形用の中子において、前記中子は、前記側板への密着面に１又は複数個の永久磁石が配設されており、前記位置決め時に強磁性体製の前記側板内面に磁気吸着して固定されることを特徴とする中子。
【請求項２】
請求項１に記載した中子において、その両端面側には、所定深さで形成されるとともに前記密着面側で開口した連通路を形成してなる所定形状の掛止用凹部を備えており、前記妻板から突設した所定形状の支持片が前記密着面側から前記連通路を介して前記掛止用凹部に入りその内周面の所定位置に下方から当接することで前記位置決めが完了する、ことを特徴とする中子。
【請求項３】
前記密着面の所定位置には、位置決め時に前記密着面から先端側を突出し、脱型時には前記密着面まで先端側を没入する下向きの爪部材が配設されており、前記側板の対応位置に形成された係合構造に前記爪部材の先端を係合することで、コンクリート成形時に前記中子に加わる下向きの付勢力に抗して固定状態を維持するものとされている、ことを特徴とする請求項１または２に記載した中子。
【請求項４】
前記密着面から上向きに延設されて位置決め時に前記側板の内面に密着する板状部材からなる吊下板を備えており、前記吊下板の上端側には前記側板上端側の型枠開口部の縁に掛けるための鈎状部が形成されており、前記鈎状部を前記縁に掛けるだけで位置決めされる、ことを特徴とする請求項１，２または３に記載した中子。
【請求項５】
台枠と、該台枠上に配置される底板と、該底板の左右両端側を立設して少なくとも内側面が強磁性体からなる左右の側板と、前記台枠の両端側に下端側を枢支されて上端側を開閉可能に対向配置された対の妻板とを有した型枠本体、及び前記側板の内面に一部を密着した状態で位置決め・固定されてコンクリート製品の横幅方向全長に亘って開口する凹部を形成するための請求項１，２，３または４に記載した中子を備えている、ことを特徴とした成形用の型枠。
【請求項６】
請求項５に記載した成形用の型枠を使用して横幅方向全長に亘り開口する凹部を側面に備えた形状のコンクリート製品の製造方法であって、請求項１，２，３または４に記載した中子を、その所定の面を前記側板に密着させることで前記密着面に配設した前記永久磁石を前記側板に磁気吸着させて位置決め・固定を行い、その後コンクリートを打設し、コンクリートの硬化後に前記対の妻板を開いた状態でコンクリート成形体を前記中子とともに前記型枠本体から引き抜き、引き抜いた前記コンクリート成形体から前記中子を取り出してコンクリート製品を得る、ことを特徴としたコンクリート製品の製造方法。
【発明の詳細な説明】
【技術分野】
【０００１】
本発明は、コンクリート成形用の中子及び型枠及びそれによる製造方法に関し、殊に、側面の横幅方向全長に亘って凹部が開口した形状のコンクリート製品を製造する際に用いる、凹部形成用の中子及びこれを備えた型枠、及びこれらを用いたコンクリート製品の製造方法に関する。
【背景技術】
【０００２】
車道と歩道の境界部分や車道と中央分離帯の境界部分を形成するものとしてコンクリート製の境界ブロックが周知であるが、この境界ブロックと道路形成材の隙間から雑草が生長して繁殖することが道路管理上の大きな問題となっている。その対策としては、特開２００６―５２６２６号公報に記載され、図１７（Ａ）に示すような防草ブロック１００を用いるのが一般的である。
【０００３】
即ち、防草ブロック１００の境界側の隙間にある雑草の種子は、発芽すると根は下方に延び、茎は上方に延びる性質を有していることから、その防草ブロック１００の境界側になる側面の横幅方向全長に亘って図のような凹部１１０を形成しておくことにより、その部分の上方から伸びた根は隙間を伝って下方に進んだ後に上向きに誘導され、その部分の下方から伸びた茎は隙間を伝って上方に進んだ後に下向きに誘導されるため、その成長が阻害されて防草効果を発揮するものである。
【０００４】
斯かる凹部１１０が側面の横幅方向全長に亘って形成された防草ブロック１００を製造するには、図１５に示すように凹部１１０を形成させる形状を有した中子１Ｊを複数本のボルト１５０で側板７２に螺着・固定してなる型枠本体７Ｈを用いるのが通常である。しかし、このように中子１Ｊをボルト１５０で固定した場合は、硬化後のコンクリート成形体を型枠本体７Ｈの上面開口部から引き抜く際に、予め総てのボルト１５０を取り外す作業が必要となり、また、次の成形の際には再度中子１Ｊをボルト１５０で取り付ける作業が必要となる。
【０００５】
そこで、図１６（Ｂ）のように妻板７８から内側に突設したピン等の支持片７０Ｇで、図１６（Ａ）のように中子１Ｊの両端側を支持しながら型枠本体７Ｇ内で位置決め・固定する方式が、特開２０１０−１７９５２２号公報に提案された。この方式では、中子１Ｊの両端側において下向きに傾斜した下側面部１０Ｊを、支持片７０Ｇで下方から支持し、型抜きの際には、型枠本体７Ｇの両端側で下端部が枢支された妻板７８を開くだけで製品を容易に取り出せるため、前述のボルトによる中子の固定方式と比べて作業の手間が格段に軽減されるようになった。
【０００６】
しかし、このように妻板から突設した支持片で中子の両端側を支持して位置決めする方式においては、中子の長さが１ｍを超えるような長尺のコンクリート製品を製造する場合、長尺になった中子の中央部分が投入したコンクリートの重量で撓んで変形してしまうため、少なくとも中子の中央部分だけは側板にボルトで固定する必要があった。
【０００７】
このケースにおいても、図１５に示した方式と比べて手間が軽減される利点はあるが、型枠を複数並列して一度に多数のコンクリート製品を製造しようとする場合には、隣り合う側板同士が近接しているためにボルトの逆脱作業が困難となりやすい。また、図１７（Ｂ）のように側面の途中に段差を有してその段差の角部に凹部２１０ａ，２１０ｂを形成した防草ブロックも知られているが、この場合はその製作に用いる中子に下向きの面がないことで前述の支持片で下方から支持できない。そして、上述した問題は防草ブロックの製造に限らず、図１７（Ｃ）に示す側面横幅方向全長に亘って凹部３１０ａ，３１０ｂが形成されたブロック３００のような製品においても同様であった。
【先行技術文献】
【特許文献】
【０００８】
【特許文献１】特開２００６―５２６２６号公報
【特許文献２】特開２０１０−１７９５２２号公報
【発明の概要】
【発明が解決しようとする課題】
【０００９】
本発明は、上記のような問題を解決しようとするものであり、側面の横幅方向全長に亘って凹部が開口した形状のコンクリート製品について、横幅が長尺のものであっても容易に製造できるようにすることを課題とする。
【課題を解決するための手段】
【００１０】
そこで、本発明は、側面の横幅方向全長に亘って開口する所定形状の凹部を備えたコンクリート製品を製造する際に、型枠本体の横幅方向に沿う側板の内面に密着しながら前記型枠本体内で位置決め・固定されて前記凹部を形成させる成形用の中子において、前記中子は、側板への密着面に１又は複数個の永久磁石が配設されており、前記位置決め時に強磁性体製の前記側板内面に磁気吸着して固定される、ことを特徴とするものとした。
【００１１】
このように、型枠内で位置決めされる中子の側板への密着面に、永久磁石を設けて側板内面に磁気吸着させる構成としたことにより、中子を両端側で支持するだけの方式と比べて位置決め後の固定状態を維持しやすいものとなるため、中子が長尺になる横幅の大きなコンクリート製品を製造する場合であっても、その側板の内面が強磁性体製である限り、手間を要することなく良好な成形を実現しやすいものとなる。
【００１２】
また、前述した中子において、その両端面側には、所定深さで形成されるとともに前記密着面側で開口した連通路を形成してなる所定形状の掛止用凹部を備えており、前記妻板から突設した所定形状の支持片が前記密着面側から前記連通路を介して前記掛止用凹部に入りその内周面の所定位置に下方から当接することで前記位置決めが完了する、ことを特徴としたものとすれば、脱型後のコンクリート製品において両端側に支持片由来の凹部が形成されないことに加え、中子の両端面内側部分における支持力と永久磁石による吸着力の相互作用により、正確な位置決めと堅固な固定状態が実現しやすいものとなる。
【００１３】
さらに、上述した中子において、前記密着面の所定位置には、位置決め時に前記密着面から先端側を突出し、脱型時には前記密着面まで先端側を没入する下向きの爪部材が配設されており、側板の対応位置に形成された係合構造に前記爪部材の先端を係合することで、コンクリートの成形時に前記中子に加わる下向きの付勢力に抗して固定状態を維持するものとされている、ことを特徴としたものとすれば、側板上の摺動方向の力に抗する作用よりも引き剥がし方向の力に抗する作用の強い永久磁石による固定力に加え、下向き摺動方向の力に抗する作用で固定力を補強したものとなり、且つ脱型時の抵抗は最小限に抑えることができる。
【００１４】
さらにまた、上述した中子は、前記密着面から上向きに延設されて位置決め時に前記側板の内面に密着する板状部材からなる吊下板を備えており、その吊下板の上端側には前記側板上端側の型枠開口部の縁に掛けるための鈎状部が形成されており、前記鈎状部を前記型枠開口部の縁に掛けるだけで位置決めされる、ことを特徴としたものとすれば、吊下板により位置決め作業が極めて容易になるとともに、成形時にコンクリート重量が加わっても中子の位置が安定しやすいものとなる。
【００１５】
加えて、台枠と、その台枠上に配置される底板と、その底板の左右両端側を立設して少なくとも内側面が強磁性体からなる左右の側板と、前記台枠の両端側に下端側を枢支されて上端側を開閉可能に対向配置された対の妻板とを有した型枠本体、及び前記側板の内面に一部を密着した状態で位置決め・固定されてコンクリート製品の横幅方向全長に亘って開口する凹部を形成する上述した中子を備えている、ことを特徴とする成形用の型枠とすれば、これを用いるだけで横幅方向全長に亘り長尺の凹部を形成したコンクリート製品を容易に製造することができる。
【００１６】
また加えて、前述した成形用の型枠を使用して横幅方向全長に亘り開口する凹部を側面に備えた形状のコンクリート製品の製造方法であって、上述した中子を、その所定の面を側板に密着させることで前記密着面に配設した永久磁石を前記側板に磁気吸着させて位置決め・固定を行い、その後コンクリートを打設し、コンクリートの硬化後に前記対の妻板を開いた状態でコンクリート成形体を前記中子とともに前記型枠本体から引き抜き、引き抜いたコンクリート成形体から前記中子を取り出してコンクリート製品を得る、ことを特徴としたものとすれば、凹部が長尺になる横幅の大きなコンクリート製品であっても、簡易な手順で容易に製造することができる。
【発明の効果】
【００１７】
中子の側板への密着面に永久磁石を設けて側板内面に磁気吸着させる構成とした本発明によると、横幅が長尺のものであっても容易に製造することができるものである。
【図面の簡単な説明】
【００１８】
【図１】本発明における第１の実施の形態である中子の背面図である。
【図２】（Ａ）は図１の拡大した左側面図、（Ｂ）は図１のＡ−Ａ線に沿う拡大した断面図である。
【図３】（Ａ）は図１の中子を型枠本体内に配設し妻板を開いた状態の拡大した部分側面図、（Ｂ）は（Ａ）の縦断面図である。
【図４】（Ａ）は図３（Ａ）の中子を異なる形状の支持片で支持する場合の妻板を開いた状態の部分側面図、（Ｂ）は（Ａ）の縦断面図である。
【図５】本発明における第２の実施の形態である中子の背面図である。
【図６】（Ａ）は図５の中子を型枠本体内に配設し妻板を開いた状態の拡大した部分側面図、（Ｂ）は（Ａ）の縦断面図である。
【図７】（Ａ）は図５の中子の応用例を型枠本体内に配設し妻板を開いた状態の拡大した部分側面図、（Ｂ）は（Ａ）の縦断面図である。
【図８】（Ａ）は図７の中子を異なる形状の支持片で支持するとともに異なる係止構造を備えた型枠本体内に配設する場合の、妻板を開いた状態の拡大した部分側面図、（Ｂ）は（Ａ）の縦断面図である。
【図９】（Ａ）は図５の中子の変形例を型枠本体内に配設し妻板を開いた状態の拡大した部分側面図、（Ｂ）は（Ａ）の中子を異なる係止構造を備えた型枠本体内に配設する場合の、妻板を開いた状態の拡大した部分側面図である。
【図１０】図５の中子の変形例を示す背面図である。
【図１１】側面に段差を有した防草ブロックを製造する場合の型枠及びこれに用いる図２の中子の変形例を示す縦断面図である。
【図１２】（Ａ）は本発明における第２の実施の形態である中子の斜視図、（Ｂ）は（Ａ）の中子の縦断面図である。
【図１３】図１２の中子を型枠に装着した状態を示す縦断面図である。
【図１４】（Ａ）は図１２の中子の変形例を示す縦断面図、（Ｂ）は本発明において好適な磁石の一例を示す斜視図である。
【図１５】従来例による中子を有した型枠を用いて防草ブロックを製造する場合を説明するための縦断面図である。
【図１６】（Ａ）は他の従来例による型枠本体及び中子を用いて防草ブロックを製造する場合を説明するための部分縦断面図、（Ｂ）は（Ａ）の支持片の構成を説明するために側板に平行な面で妻板を切断した状態の部分縦断面図である。
【図１７】（Ａ）は防草ブロックの縦断面図、（Ｂ）は両側面に段差を有した防草ブロックの縦断面図、（Ｃ）は横幅方向全長に亘って側面に凹部が形成されたコンクリート製品の縦断面図である。
【発明を実施するための形態】
【００１９】
以下に、図面を参照しながら本発明を実施するための形態を説明する。
【００２０】
図１は、本実施の形態であるコンクリート製品成形用の中子１Ａの背面図を示している。この中子は、図１７（Ａ）に示す防草ブロック１００のような境界ブロックを製造する際に、境界側となる側面に開口して防草機能を発揮する凹部１１０を形成させるために、型枠本体内部で凹部１１０に対応した位置に配設されるものである。
【００２１】
即ち、側面の横幅方向全長に亘って開口する所定形状の凹部を備えたコンクリート製品を製造する際に、図１５に示したような型枠本体の両端側で開閉可能に枢支された対の妻板から内側に各々突設してなる支持片で両端側を支持されるとともに、その型枠本体の横幅方向に沿う側板の内面に密着しながら型枠本体内で位置決め・固定されて前記凹部を形成させる中子１Ａであって、側板への密着面に複数個の永久磁石５０が表面側を密着面に対し面一になるように配設されており、位置決め時に強磁性体製の側板内面に磁気吸着して固定されることを特徴としたものである。
【００２２】
具体的には、この中子１Ａは樹脂の一体成形等で製作され、その側板への密着面１０ｃには、横幅方向全長に亘って所定深さの溝１０２が形成されており、その溝１０２の底面所定位置に、溝１０２の深さと同等の厚さを有した円盤状の永久磁石５０，５０が、接着剤等で堅固に固定されている。また、その両端面１０ａ，１０ｂには、対応する支持片の高さ以上の深さで形成されるとともに密着面１０ｃ側で開口した連通路１０３ａ，１０４ａを形成しながら中子１Ａの横断面形状に対応した形状の係止用凹部１０３，１０４を備えており、妻板から突設した支持片が、密着面１０ｃ側から連通路１０３ａ，１０４ａを介して係止用凹部１０３，１０４に入り、その内周面の所定位置に下方から当接することにより、位置決め作業が完了するようになっている。
【００２３】
図２（Ａ）は、前述した中子１Ａの両端側の構成を説明するための拡大した側面図を示している。前述のように、横幅方向全長に亘って所定深さで形成された溝１０２の底面には、円盤状の永久磁石５０がその表面側を密着面１０ｃに対し面一となるように配置されており、その両端側の係止用凹部１０３，１０４は、斜め上向きの上側面１０ｍと斜め下向きの下側面１０ｎを有した中子１Ａの縦断面形状に対して略相似形とされ、各々密着面１０ｃ側で開口して連通路１０３ａ，１０４ａが形成されている。
【００２４】
図３は、中子１Ａを型枠本体７Ａの側板７２内面に位置決め・固定した状態を示している。図（Ａ）は妻板を開いた状態で端部側から見た側面図であり、図（Ｂ）はその中間位置における縦断面図であるが、図（Ａ）において想像線で示すピン状の支持片７０ａは、係止用凹部１０３においてテーパー状に狭くなる内周面の中途位置に外周面を密着して下側から嵌まった位置にて位置決めされるとともに、永久磁石５０が側板７２内面に磁気吸着して固定されている。
【００２５】
これにより、斯かる状態で中子１Ａの上側面１０ｍや下側面１０ｎにコンクリートの圧力がかかっても、その位置からずれ動いたり脱落したりしにくくするという機能を発揮する（係止用凹部１０４側も同様）。また、中子１Ａは、係止片で両端側を支持されるだけでなく、密着面１０ｃが側板７２内面に磁気吸着して固定されることから、図４に示すような下向きの内周面のみに当接する形態の支持片８０ａ，８０ｂとした場合でも、充分なる位置決めと固定力を発揮することができる。
【００２６】
図５は、本発明における第２の実施の形態である中子１Ｂを示している。この中子１Ｂは、前述した第１の実施の形態と基本的な構成は共通しているが、その横幅が中子１Ａよりも大きいものであり、横幅の大きな防草ブロックを製造する場合に使用される。即ち、この実施の形態では、その密着面１０ｄ側に形成した溝１０７の所定位置に、位置決め時に密着面１０ｄから先端側を突出し脱型時に密着面１０ｄまで先端側を没入する下向きの爪部材として、板バネ６０が複数箇所に配設されており、側板の対応位置に各々形成された係合構造に、板バネ６０の先端を各々係合することにより、コンクリート成形時において中子１Ｂに加わる下向きの付勢力に抗しながら固定状態を維持するようになっており、長尺の中子１Ｂであっても、コンクリート成形時に中央部が撓んで変形しないようにした点を特徴としている。
【００２７】
図６は、前述した中子１Ｂを型枠本体７Ｃの側板７４内面に位置決め・固定した状態を示している。図（Ａ）は妻板を開いた状態で端部側から見た側面図であり、図（Ｂ）はその縦断面図であるが、その両端側は前述と同様に係止片７０ａ，７０ｂで支持されており、且つ、永久磁石５０で側板７４に磁気吸着した状態で位置決め・固定されている。
【００２８】
そして、これらの固定力に加え、側板７４内面に形成された係合構造である段状の凹部７１ａの下端側に、板バネ６０の先端が当接しており、中子１Ｂに加わる下向きの付勢力に対し抵抗力を発揮しながら強力な固定力を発揮するものとなっている。また、コンクリート成形体を上向きに引き出す脱型時には、板バネ６０がその弾性変形能により密着面１０ｄと面一の位置まで没入するため、脱型作業を阻害する心配はない。
【００２９】
図７（Ａ）は、前述した中子１Ｂの応用例としての中子１Ｃを側面図で示し、図（Ｂ）はその縦断面図を示している。この中子１Ｃは、形態的な特徴と機能は前述の中子１Ｂとほぼ共通しており、端部側に係止用凹部１０５，１０６が形成されたものであるが、その外周面側は金属板８を屈曲させて構成されているとともに、その内腔側に樹脂９を充填してなる構成とした点を特徴としており、これにより形態維持能及び耐久性が格段に向上したものとなっている。
【００３０】
尚、図７においては、係止片７０ｄがピン状である場合を表示しているが、図８に示すように斜め上向きのバー状に形成された係止片８０ｄであっても良い。また、図８では型枠本体７Ｅの係合構造を、側板７５を窓状に貫通した部分を閉止板７９で外側から塞いだ構成の窓状の凹部７１ｃとしており、閉止板７９を表裏逆向きにしてその凸部７９ａを窓状に開口した部分に嵌め込んで固定することで、その型枠本体７Ｅを凹部のない通常のコンクリート製品を製造する場合にも使用可能なものとしている。
【００３１】
図９は、防草ブロックではないが、その側面の横幅方向全長に亘って開口する凹部を形成してなるものとして、例えば図１７（Ｃ）に記載したコンクリート製品３００等を製造する際に用いる中子１Ｄを示している。この場合も前述した各実施の形態の特徴部分をそのまま応用することができ、図（Ａ）に示すように、所定レベルの固定力を発揮可能である限り、係止用凹部１０７も任意の形状を採用することができ、また、係止爪の一例として板バネ６１を採用している。
【００３２】
図１０は、図５に示した中子１Ｂの応用例としての中子１Ｅを示している。この中子１Ｅは、密着面１０ｆにおいて横幅方向全長に亘る溝が形成されておらず、永久磁石５０や板バネ６０がその形状に合致するように形成した凹部に没入している状態で各々配設されている点を特徴としている。このように、密着面側に大きな空間を形成しないようにしたことで、コンクリート成形時に液状のコンクリートがその空間に侵入した場合の除去作業が不要なものとなる。
【００３３】
また、両端側に形成した係止用凹部１０８Ｂ，１０９Ｂに対しても、その下方に表示したようにその空間形状と略同一の形状を有した支持片７０ｉ，７０ｈを組み合わせることで、係止用凹部１０８Ｂ，１０９Ｂの中に液状のコンクリートが侵入することを最小限に抑えることができる。尚、これらの構成は、上述した総ての実施の形態においてもそのまま応用することができる。
【００３４】
そして、上述した実施の形態を各々用いながら、横幅方向全長に亘って開口する凹部が側面に備えた形状のコンクリート製品を製造する場合には、上述した中子を、上述した型枠本体内部で両端側を対の妻板から突設した支持片で支持させながら、その密着面を側板に密着して各々配設することにより、その永久磁石を側板内面に磁気吸着させて位置決め・固定を行うものとしている。
【００３５】
その後、コンクリートを打設し、コンクリートの硬化後に対の妻板を開いた状態で、コンクリート成形体を中子とともに型枠本体の開口部から上向きに引き抜き、引き抜いたコンクリート成形体から中子を取り出すことにより、目的のコンクリート製品が得られる。したがって、その凹部が長尺になる横幅の大きなコンクリート製品であっても、本発明により過剰な手間を要することなく精度の高い成形作業が行えるものである。また、型枠本体を複数並列して複数のコンクリート製品を製造する場合であっても、中子を安定させるために側板の中途位置でボルトを着脱する必要がないことから、製造効率においても極めて優れている。
【００３６】
ところで、図１７（Ｂ）に示した両側面の段差角部に凹部２１０ａ，２１０ｂが形成されている形状の防草ブロック２００を製造する場合には、図１１に示すような型枠本体７Ｉが用いられる。この場合、段差の角部に凹部形成用の中子を密着して配置するが、その中子は段差の上面に載った状態となるため、長尺のものであっても中途位置で撓む心配はない。
【００３７】
しかし、単に凹部の形状に対応した外形の中子を置くだけでは、成形作業中にこれが容易に浮動して安定しにくいという問題があった。そこで、上述した実施の形態と同様に、強磁性体製の側板７６の内側面への密着面に永久磁石５１，５２を配設してなる中子１Ｆを用いることにより、これを配置位置で安定させながら成形作業を実施することが可能となる。尚、この中子１Ｆにおいては、底面と側面の両面に永久磁石を配置する構成としたが、充分な吸着力を発揮可能な場合には、そのいずれか一方の面に配置する構成であっても良い。
【００３８】
図１２（Ａ）は、本発明における第２の実施の形態としての中子１Ｇを示しており、図（Ｂ）はその縦断面図である。この中子１Ｇは、薄い帯状の鋼板等を屈曲しながら、その上端側に側板上端側の型枠開口部の縁に掛けるための鈎状部９０ｂを形成するとともに、垂直の側板に対し面で密着する平板状の密着体９０ａを形成してなる吊下板９０を備えて、その密着体９０ａ下端側内側面から中子本体１ｇを突設してなるものである。
【００３９】
その中子本体１ｇの密着面側には上述した実施の形態と同様に複数個の磁石５３が適宜の間隔で配設されており、その配設位置に一致する密着体９０ａの各位置に磁石５３を総て露出させるように開口した開口部９０１が設けられ、その磁石５３の外面が密着体９０ａの外面に対し各々面一とされており、それらが図１３に示すように型枠への装着時に側板７３内側面に磁気吸着するようになっている。
【００４０】
そのため、鈎状部９０ｂを側板７２上端側の縁に掛けるだけで、中子１Ｇは正確な位置にて型枠に装着されて固定される。また、この状態でコンクリートを充填する際には、磁石５３の吸着力で中子本体１ｇがその位置を固定されることに加え、中子本体１ｇを吊り下げている薄板状の密着体９０ａが多少湾曲していてもコンクリートの圧力で側板７２の内面に密着した状態で安定するため、コンクリートの重量で中子１Ｇ中央部が下向きに湾曲しにいとともに密着体９０ａの存在で成形精度を損なう心配もない。尚、この中子１Ｇは脱型時に容易に上向きに摺動するため脱型作業も容易である。
【００４１】
図１４（Ａ）は、前述した中子１Ｇの変形例としての中子１Ｈを縦断面図で示している。この例では、鋼板等の帯状部材を屈曲しながらその下端側に中子本体９１ｃを形成するとともに、その中子本体９１ｃによる空隙部分に樹脂１ｈを充填してなるものであり、この場合も、その密着面側にはそれと面一になるように磁石５３が配設されている。
【００４２】
図１４（Ｂ）は、上述した総ての実施の形態において使用可能で好適な磁石の一例としての磁石５４を斜視図で示している。この磁石５４は、吸着力に優れたネオジム磁石を有底円筒状に形成した強磁性体金属製の容器（キャップ）内に配設されているとともに、中央に固定ネジを挿通する貫通孔を有したキャップ式磁石と呼ばれるものである。これを用いることで、少ない数であっても確実な固定力を発揮しやすいものとなる。
【００４３】
以上、述べたように、側面の横幅方向全長に亘って凹部が開口した形状のコンクリート製品について、本発明により、横幅が長尺のものであっても容易に製造できるようになった。
【符号の説明】
【００４４】
１Ａ，１Ｂ，１Ｃ，１Ｄ，１Ｅ，１Ｆ，１Ｇ，１Ｈ  中子、１ｇ，１ｈ  中子本体、７Ａ，７Ｂ，７Ｃ，７Ｄ，７Ｅ，７Ｆ，７Ｈ，７Ｉ  型枠本体、１０ａ，１０ｂ  端面、１０ｃ，１０ｄ，１０ｅ，１０ｆ  密着面、５０，５１，５２，５３，５４  永久磁石、６０，６１  板バネ、７０ａ，７０ｂ，７０ｄ，７０ｅ，７０ｈ，８０ａ，８０ｂ，８０ｄ，８０ｅ  支持片、７１ａ，７１ｂ，７１ｃ，７１ｄ  凹部、７２，７４，７５，７６  側板、７７  妻板、９０，９１  吊下板、９０ａ，９１ａ  密着部、９０ｂ，９１ｂ  鈎状部、１００，２００  防草ブロック、１０２  溝、１０３，１０４，１０５，１０６，１０７，１０８，１０９，１０８Ｂ，１０９Ｂ  係止用凹部、３００  コンクリート製品
【図１】
2017039214.tif 000003
【図２】
2017039214.tif 000004
【図３】
2017039214.tif 000005
【図４】
2017039214.tif 000006
【図５】
2017039214.tif 000007
【図６】
2017039214.tif 000008
【図７】
2017039214.tif 000009
【図８】
2017039214.tif 000010
【図９】
2017039214.tif 000011
【図１０】
2017039214.tif 000012
【図１１】
2017039214.tif 000013
【図１２】
2017039214.tif 000014
【図１３】
2017039214.tif 000015
【図１４】
2017039214.tif 000016
【図１５】
2017039214.tif 000017
【図１６】
2017039214.tif 000018
【図１７】
2017039214.tif 000019